(57)【特許請求の範囲】
【請求項１】
外囲器と、前記外囲器の内面に取り付けられた回路基板と、前記回路基板の表面に形成された複数の陽極導体と各陽極導体を制御する制御素子と各陽極導体に設けられた蛍光体層からなる陽極と、前記外囲器の内部において前記陽極の上方に設けられた電子源とを有し、前記制御素子で選択した前記陽極導体の前記蛍光体層に前記電子源からの電子を射突させて所望の表示を行う蛍光表示管において、
前記外囲器の内面に形成されたアルミニウム薄膜と、
前記アルミニウム薄膜の上面に設けられており、前記回路基板と前記外囲器の内面の間から前記回路基板の外方にある前記外囲器の内面に連続して設けられ、前記回路基板を前記外囲器の内面に接着する金属粒子を含む接着材料と、
前記回路基板の外方にある前記接着材料の上面に設けられた金属粒子とガラスを含む接触材料と、
内端部が前記接触材料に固定されて前記外囲器を気密に貫通して設けられた放熱リードと、
を有することを特徴とする蛍光表示管。
【請求項２】
前記放熱リードが、所定間隔をおいて配置され前記外囲器の封着部分を気密に貫通する複数本の細線状部材からなることを特徴とする請求項１記載の蛍光表示管。
【請求項３】
前記放熱リードが、所定間隔をおいて配置され前記外囲器の封着部分を気密に貫通する複数本の細線状部材と、複数本の前記細線状部材の各先端を連結する前記内端部としての帯状体からなることを特徴とする請求項１記載の蛍光表示管。
【請求項４】
前記放熱リードの前記内端部が前記接触材料に向けて屈曲されており、前記内端部の少なくとも一部が前記接触材料の内部に埋没していることを特徴とする請求項２又は３に記載の蛍光表示管。
【請求項５】
前記放熱リードがアースされたことを特徴とする請求項１乃至４のいずれか一つに記載の蛍光表示管。
【発明の詳細な説明】
【技術分野】
【０００１】
本発明は、例えばマトリクス状に構成されてスイッチング素子で選択される複数の陽極導体と各陽極導体を覆う蛍光体層とを有する回路基板が外囲器の内面に取り付けられ、外囲器内の電子源から放出された電子を、スイッチング素子で選択した陽極導体の蛍光体層に射突させて所望のグラフィック表示を行うアクティブマトリクス駆動タイプの蛍光表示管に係り、特に放熱能力が高いために蛍光体の発光効率が高く、駆動回路の誤動作が少なく、輝度寿命が長いという効果が得られ、さらに外囲器の内面に対する回路基板の位置決め精度が高い蛍光表示管に関するものである。
【背景技術】
【０００２】
下記特許文献１には、駆動回路が外囲器内に一体化されたアクティブマトリクス駆動タイプの蛍光表示管の一構造例が開示されている。この蛍光表示管では、外囲器１内にカソード２、駆動回路基板３、グリッド４が設置されており、駆動回路基板３は外囲器基板５上に設置されている。駆動回路基板３上には駆動回路６、蛍光体７が形成されている。そしてヒートシンクを兼ねた固定治具８が外囲器１の一部を構成する側板で固定され、かつ駆動回路基板３の側面のうち、駆動回路および蛍光体が形成された領域の近傍の側面に接するように設置されている。固定治具８はばねによる力で駆動回路基板３を外囲器基板５上に固定すると共に、一部の固定治具は駆動回路基板３上の端子に接して外部引き出し端子の役目も担っている。かかる構成を備えた蛍光表示管によれば、長時間動作させても駆動回路基板３の温度上昇を抑えることができ、駆動回路を安定して動作させることができるものとされている。
【特許文献１】特開平８−１５３４８１号公報
【発明の開示】
【発明が解決しようとする課題】
【０００３】
前記特許文献１に記載の蛍光表示管によれば、駆動回路基板の蛍光体に射突した電子のエネルギーのうち発光に寄与したもの以外は熱となり、また駆動回路基板の駆動回路自体も熱を生じる。温度が高くなると蛍光体の発光効率が低下し、輝度寿命が低下し、駆動回路が誤作動しやすくなるので、駆動回路基板の放熱が重要となる。ところが、前記蛍光表示管によれば、固定治具８は駆動回路基板３の側面にばね力で機械的な接触をしているため、次に示すような問題（１）（２）があった。
【０００４】
（１）駆動回路基板との接触面積に制限があり、最大でも駆動回路基板の側面の面積にしかならないため、固定治具による放熱は必ずしも十分でない。
（２）固定治具が接触する駆動回路基板の側面の平坦度によって、固定治具による放熱効果にばらつきが生じる。
【０００５】
さらに、前記特許文献１に記載の蛍光表示管によれば、駆動回路基板３と外囲器基板５の接触面にそれぞれ溝を設け、両溝内にガラス製の小玉等の固定治具を設置し、固定治具８を駆動回路基板３の側面にばね力で機械的に接触させて駆動回路基板を外囲器基板５上の所定位置に固定しているが、次に示すような問題（３）があった。
【０００６】
（３）各基板に形成する溝の位置精度や固定治具の加工精度により外囲器基板に対する駆動回路基板の位置決めにはばらつきが生じ、また溝等の加工コストや固定治具の部品コストが必要となってしまう。また、外囲器基板に対する駆動回路基板の固定を固定治具のばね力によっているため、外囲器基板に対する駆動回路基板の位置がずれやすい。
【０００７】
本発明は、このような従来の技術における課題を解決するためになされたものであり、陽極と駆動回路が作り込まれた回路基板を外囲器の内面に固定した構造の蛍光表示管において、回路基板の放熱能力が高いために蛍光体の発光効率が高く、輝度寿命が長く、駆動回路の誤動作が少ないという効果が得られ、さらに外囲器の内面に対する回路基板の位置決め精度が高い蛍光表示管を提供することを目的としている。
【課題を解決するための手段】
【０００８】
請求項１に記載された蛍光表示管は、
外囲器と、前記外囲器の内面に取り付けられた回路基板と、前記回路基板の表面に形成された複数の陽極導体と各陽極導体を制御する制御素子と各陽極導体に設けられた蛍光体層からなる陽極と、前記外囲器の内部において前記陽極の上方に設けられた電子源とを有し、前記制御素子で選択した前記陽極導体の前記蛍光体層に前記電子源からの電子を射突させて所望の表示を行う蛍光表示管において、
前記外囲器の内面に形成されたアルミニウム薄膜と、
前記アルミニウム薄膜の上面に設けられており、前記回路基板と前記外囲器の内面の間から前記回路基板の外方にある前記外囲器の内面に連続して設けられ、前記回路基板を前記外囲器の内面に接着する金属粒子を含む接着材料と、
前記回路基板の外方にある前記接着材料の上面に設けられた金属粒子とガラスを含む接触材料と、
内端部が前記接触材料に固定されて前記外囲器を気密に貫通して設けられた放熱リードと、
を有することを特徴としている。
【０００９】
請求項２に記載された蛍光表示管は、請求項１記載の蛍光表示管において、
前記放熱リードが、所定間隔をおいて配置され前記外囲器の封着部分を気密に貫通する複数本の細線状部材からなることを特徴としている。
【００１０】
請求項３に記載された蛍光表示管は、請求項１記載の蛍光表示管において、
前記放熱リードが、所定間隔をおいて配置され前記外囲器の封着部分を気密に貫通する複数本の細線状部材と、複数本の前記細線状部材の各先端を連結する前記内端部としての帯状体からなることを特徴としている。
【００１１】
請求項４に記載された蛍光表示管は、請求項２又は３に記載の蛍光表示管において、
前記放熱リードの前記内端部が前記接触材料に向けて屈曲されており、前記内端部の少なくとも一部が前記接触材料の内部に埋没していることを特徴としている。
【００１２】
請求項５に記載された蛍光表示管は、請求項１乃至４のいずれか一つに記載の蛍光表示管において、
前記放熱リードがアースされたことを特徴としている。
【発明の効果】
【００１３】
請求項１に記載された蛍光表示管によれば、蛍光表示管の発光駆動に伴って蛍光体層乃至回路基板の温度が上昇してくるが、回路基板の熱は、熱伝導性に優れた金属粒子を含む接着材料に広い面積で効率的に伝達され、さらに熱伝導性に優れた金属粒子と固着力に優れたガラスを含む接触材料を介して放熱リードに伝えられ、外囲器の外に放熱されるので、回路基板の有害な温度上昇は抑制される。また、回路基板は外囲器の内面に対して接着材料で確実に固定されるので、位置ずれの可能性は小さく、また固定に要するコストも小さい。
【００１４】
請求項２に記載された蛍光表示管によれば、請求項１記載の蛍光表示管による効果を、所定間隔をおいて配置され外囲器の封着部分を気密に貫通する複数本の細線状部材からなる放熱リードの構成によって達成することができる。
【００１５】
請求項３に記載された蛍光表示管によれば、請求項１記載の蛍光表示管による効果を、所定間隔をおいて配置され外囲器の封着部分を気密に貫通する複数本の細線状部材と、複数本の細線状部材の各先端を連結する帯状体からなる放熱リードの構成によって達成することができ、帯状体と接触材料の接触面積が大きいことから一層高い放熱効果を得ることができる。
【００１６】
請求項４に記載された蛍光表示管によれば、請求項２又は３に記載の蛍光表示管における効果において、放熱リードの内端部を接触材料に向けて屈曲することにより内端部の少なくとも一部を接触材料の内部に埋没させることができるので、放熱リードの接触部材に対する固定が一層確実であり、接触部材に対する放熱リードの接触面積が一層大きくなって一層高い放熱効果が得られる。
【００１７】
請求項５に記載された蛍光表示管によれば、請求項１乃至４のいずれか一つに記載の蛍光表示管における効果において、さらに、放熱リードをアースすることにより蛍光表示管に電波シールド効果を与えることができる。
【発明を実施するための最良の形態】
【００１８】
以下、本発明の実施形態を図面を参照して説明する。
１．第１実施形態（図１〜図３）
（１）構造
図１は第１実施形態に係る蛍光表示管の断面図、図２は同蛍光表示管の部分拡大断面図であり、図３は同蛍光表示管の容器部を封着する前段階における平面図である。
本例の蛍光表示管１０は、内部が高真空状態とされた略箱型の容器である外囲器１１を有している。外囲器１１は、ガラス等の絶縁性材料からなる外囲器基板１２と、外囲器基板１２の内面側に封着される下面側が開放された蓋状の容器部１３から構成されている。
【００１９】
図１に示すように、外囲器１１の内部において、外囲器基板１２の内面には、回路基板１５が取り付けられている。この回路基板１５は、矩形のシリコンウエハーからなり、その表面には発光表示部である陽極が作り込まれている。陽極は、回路基板１５の上面にマトリクス状に配置され接続構成された複数の陽極導体（図示せず）と、各陽極導体ごとに設けられて当該陽極導体のＯＮ／ＯＦＦを選択するスイッチング素子等の制御素子（図示せず）と、さらに各陽極導体を覆って設けられた蛍光体層１６を有している。
【００２０】
図１に示すように、前記回路基板１５が設けられている部分を含めた外囲器基板１２のより広い領域には、アルミニウム薄膜１７が形成されている。このアルミニウム薄膜１７は、その面積の２０〜８０％程度の抜き（アルミニウム薄膜１７のない部分）を有しており、アルミニウム薄膜１７の領域上に接着材料で回路基板１５を接着する際に接着力が十分に発揮されるようになっている。すなわち、アルミニウム薄膜１７を回路基板１５の配置領域の全面積に設けると、かえって回路基板１５を固定する接着材料の機能が十分に発揮されない。
【００２１】
図１に示すように、前記アルミニウム薄膜１７の上面には、その全面に接着材料としてのダイボンド材１８が所定の厚さで塗布されており、当該ダイボンド材１８の一部の領域において、前記回路基板１５が接着固定されている。すなわち、図１中に符号Ｘにて示すように、アルミニウム薄膜１７及びダイボンド材１８は、回路基板１５と外囲器基板１２の間だけでなく、これに連続して回路基板１５の外側にある外囲器１１の内面の領域Ｘにも設けられている。
【００２２】
前記ダイボンド材１８は、導電性微粒子としての金属粒子と、有機金属を含むビークルから構成されているダイボンドペーストを約５００℃で焼成して得られる。導電性微粒子は、粒径が０．１〜５０μｍの金属微粒子、例えばＡｇ粒子、Ａｕ粒子、Ｃｕ粒子等があるが，中でもフレーク状のＡｇ粒子が実験上伝熱性が良好であった。
【００２３】
有機金属は、Ｔｉ、Ａｌ、Ｓｉ、Ｉｎ、Ｚｒ等の金属原子を含む有機物である。例としてＴｉの有機物としては次のようなものがある。
テトライソプロポキシチタン（ＴＰＴ）、テトラ−ｎ−ブトキシチタン（ＴＢＴ）、テトラキス２エチルヘキソキシチタン（ＴＯＴ）、テトラステアロキシチタン（ＴＳＴ）、ジイソプロポキシ・ビス・アセチルアセトナトチタン（ＴＡＡ）、ジ−ｎ−ブトキシ・ビス・トリエタノールアミナトチタン（ＴＡＴ）、テトラキス２エチルヘキサンジオラトチタン（ＴＯＧ）、ジヒドロキシ・ビスラクタトチタン（ＴＬＡ）等が有機チタンとして使用できる。
【００２４】
これらの有機チタン化合物は、一般にそれ自身が液体か、あるいは溶媒に可溶であり、ぬれ性を有しペースト化することが可能である。また、前記有機チタン化合物は、熱分解反応により酸化チタンを形成することも知られている。したがってペースト中の機能材料であるＡｇ粒子を焼成時に基板に固着させるバインダー作用を有している。
【００２５】
ビークル（Vehicle ）は有機バインダーを揮発性成分である溶剤に溶解した粘稠な液体であり、有機溶剤としては炭化水素、エステル、ケトン、エーテル、アルコール等がある。
【００２６】
具体的には、たとえば、トリデカノール、ベンジルアルコール、テルピネオール、ドデカノール、ブチルカルビートル、酢酸ベンジル、トリメチルノナノン、ｎ−ヘキシルエーテル等があり蒸発速度を調整するため選択（必要に応じて混合する）して使う。有機バインダーは粉体を安定に分散させ、ペーストに必要な流動性を与えるために加えるので、スクリーン印刷のメッシュや、膜厚等により混合量が変る。具体的には、エチルセルロール等のセルロース誘導体や、ポリビニルアセテート等の高分子化合物でもよい。焼成すると有機バインダーは分解して揮散してしまう性質がある。
【００２７】
次にダイボンド材１８の具体的配合例を示す。
配合例１
有機チタン（ＴＯＧ）２５ｇ
導電性粒子（Ag粒子）７５ｇ
ビークル（エチルセルロース）適量
【００２８】
配合例２
有機チタン（ＴＯＧ）３０ｇ
導電性粒子（Ag粒子）７０ｇ
ビークル、（トリデカノール、テルピネオール）適量
前記有機金属（ＴＯＧ）には、不純物として混入する塩素分が３０ppm 以下にすると、蛍光表示管１０の特性が良好となる。
【００２９】
次に、図１及び図２に示すように、回路基板１５の外側の外囲器基板１２上に延設されたダイボンド材１８の上面には、金属粒子とガラスを含む接触材料２０が設けられている。金属粒子はＡｇ等の熱電導性に優れた金属の粒子であり、ガラスは加熱により固化して後述する放熱リード２１を固定する機能を備えている。
【００３０】
図２（ｂ）に示すように、前記接触材料２０には、放熱リード２１の内端部２１ａが接触して少なくともその一部が埋没しており、接触材料２０の固化したガラス成分により固定されている。この放熱リード２１の内端部２１ａは、接触材料２０に向けて屈曲されており、後述する封着工程において内端部２１ａが接触材料２０に食い込むようになっている。この放熱リード２１は、外囲器１１を構成するガラス材料と熱膨張係数が同等である金属材料である４２−６合金（４２％Ｎｉ、６％Ｃｒ、残りＦｅ等）などからなり、外囲器１１の外囲器基板１２と容器部１３との封着部分を気密に貫通して外部に導出されている。
【００３１】
図３に示すように、本例の放熱リード２１は、所定間隔をおいて配置され、外囲器１１の封着部分を気密に貫通する複数本の細線状部材２２からなり、各細線状部材２２の内端部は、前述したようにダイボンド材１８の縁部の上面に帯状に設けられた接触材料２０に固定されている。また、各細線状部材２２の外端部は、帯状の連結部材２３によって一体に接続されている。このように、回路基板１５は、熱導電性の良好なダイボンド材１８と、ダイボンド材１８と同様に熱導電性の良好な接触材料２０を介して放熱リード２１に熱的に接続され、さらに放熱リード２１は外囲器１１を貫通して外部に導出されて外囲器１１内の回路基板１５の熱を外に放出するように構成されている。
なお、実際に本例の蛍光表示管１０を使用する場合には、外囲器１１の裏面（表示側と反対側）にヒートシンクを取り付け、さらに放熱リード２１の外端部（連結部材２３）を該ヒートシンクに接続して効率的に放熱が行われるようにすることが好ましい。
【００３２】
図示しないが、前記外囲器１１の内部には、回路基板１５の陽極の上方に、電子源が設けられている。電子源はフィラメント状のものでも良いし、回路基板１５と対面する容器部１３の内面に面状に形成されたものでもよい。
【００３３】
（２）製造工程
次に、以上のような構成の蛍光表示管１０の製造工程を説明する。
１）外囲器基板１２上に２０〜８０％程度の抜きを有するパターンでアルミニウム薄膜１７を形成する。アルミニウム薄膜１７の全体の外形は、固定しようとする回路基板１５の外形から突出し、放熱リード２１の接続領域である前記領域Ｘとなる部分を有している。このアルミニウム薄膜１７の全面に領域Ｘも含めてダイボンド材１８を塗布する。
【００３４】
２）陽極がすでに作り込まれた回路基板１５をダイボンド材１８上に密着させる。
【００３５】
３）外囲器基板１２を４８０℃〜５００℃で焼成し、ダイボンド材１８を介して回路基板１５を外囲器基板１２に固定する。
【００３６】
４）回路基板１５の外側にある固化したダイボンド材１８の上に、接触材料２０を所定パターンで塗布する。
【００３７】
５）外囲器基板１２を４８０℃で焼成し、接触材料２０を一旦固化する。
【００３８】
６）図２（ａ）に示すように、放熱リード２１の内端部２１ａが接触材料２０に当接するように放熱リード２１を外囲器基板１２の外縁に配置し、開口部に封着ガラス（図示せず）を有する容器部１３を、該放熱リード２１を挟んで外囲器基板１２の上面に取り付ける。そして、５００℃で焼成しながら外囲器１１内を排気し、外囲器１１の封着を完了する。
【００３９】
この工程において、図２（ｂ）に示すように、放熱リード２１の内端部２１ａは軟化した接触材料２０に食い込むので、放熱リード２１と接触材料２０との接触面積は増大し、工程後に固化したガラスによって機械的接続が確実になるとともに、熱的接続も十分な状態となる。これによって、多数の放熱リード２１の接触材料２０に対する接触のばらつきが低減する。
【００４０】
この工程において、放熱リード２１を、外囲器基板１２上に配置する他の金属部品（例えばフィラメント状陰極を調節する一対の金属部品等）と共に枠体の内部に連結して一体化したマウント構成部品としておけば、放熱リード２１を外囲器基板１２上に配置する作業は新たな工程を設けることなく、前記他の金属部品を外囲器基板１２上に配置するマウント工程として行うことができる。
【００４１】
（３）効果
以上の構成によれば、回路基板１５に作り込まれた制御回路の制御素子に表示信号を入力して所望の陽極導体を選択し、当該陽極導体に相当する位置にある蛍光体層１６に前記電子源からの電子を射突させれば、画素として選択された蛍光体の発光部分の発光時間が長く、輝度の高いスタティック駆動による所望のグラフィック表示を行うことができる。
【００４２】
本例の蛍光表示管１０は、上のようにスタティック駆動による高輝度の発光表示を行えるが、駆動回路基板１５の蛍光体に射突した電子のエネルギーのうち発光に寄与したもの以外は熱となり、また駆動回路基板１５の駆動回路自体も熱を生じるので、回路基板１５には相応の熱が生じる。
【００４３】
しかしながら、回路基板１５は熱伝導性の良好な金属粒子を含むダイボンド材１８に下面全面で接触しているので、回路基板１５の熱は効果的にダイボンド材１８に伝導し、さらに熱伝導性の良好な金属粒子を含む接触材料２０を介してダイボンド材１８から放熱リード２１に伝導し、外囲器１１の外に効率的に排出される。従って、発光駆動中であっても回路基板１５の温度は十分に低く保持されるので、高温によって蛍光体の発光効率が低下することはなく、蛍光体の輝度寿命が低下することもなく、高温によって駆動回路が誤作動することもない。すなわち、高輝度によるアクティブマトリックス蛍光表示管１０において、高い発光効率、輝度寿命の向上、駆動回路の誤作動の低減を実現することができる。なお、発光効率の向上については、本発明者等が行った実験によれば、例えばアノード電圧４５Ｖ、フィラメント−アノード距離１ｍｍの条件において、４．９７ｌｍ／Ｗから５．２９ｌｍ／Ｗに向上したというデータが得られた。
【００４４】
また、本例によれば、放熱に関わる放熱リード２１と接触材料２０の接触面積を大きくすることができ、また均一な接触状態を得ることが構造上容易なので、放熱効果が大きいだけでなく、製品による放熱効果のばらつきが小さい。
【００４５】
次に示す表１は、本例の蛍光表示管１０（放熱リード２１有り）と、従来のアクティブマトリクスタイプの蛍光表示管（放熱リード無し）とについて、ジャンクション温度（℃）を測定して比較したものである。ここで、ジャンクション温度とは、温度測定用に回路基板上に設けたダイオードの端子を外囲器外に引き出し、この端子から１０ｍＡ程度の定電流を加えて電圧を測定し、これを温度に換算した値であって回路基板の温度を示すものである。本例及び従来例の供試体は、アノード電源を用意し、ヒートシンクを大中小３種類用意して本例及び従来例共に外囲器に取り付け、本例については放熱リードもヒートシンクに接続した。これらの組合せによって得られる合計９種類の供試体について前記ジャンクション温度の測定を行った。
【００４６】
【表１】
0005058741.tif 000002
【００４７】
上記表１に示す測定結果によれば、本例の蛍光表示管１０は、従来例に比べて７℃〜１３℃程度温度が低くなっており、放熱に関して従来に比べ高い効果が得られていることがわかった。このため、実験に供した各蛍光表示管の性能を実測したところによると、本例の蛍光表示管１０は、蛍光体の発光効率が従来例に比べて５〜１０％程度向上しており、輝度寿命が従来に比べて５％程度向上した。さらに駆動回路の誤動作が従来例に比べて少ないという効果が得られた。
【００４８】
また、本例の蛍光表示管１０によれば、回路基板１５と外囲器基板１２はダイボンド材１８で確実に固定することができるので、回路基板１５の位置ずれはほとんど生じず、蛍光体が発光する画素位置の制御が非常に容易になる。
【００４９】
また、本例の蛍光表示管１０によれば、放熱リード２１をアースすることにより、蛍光表示管１０に電波シールドの効果を付与することができ、電波により誤作動しにくい蛍光表示管１０とすることができる。
【００５０】
また、本例の蛍光表示管１０によれば、製造工程は従来のアクティブマトリクスタイプの蛍光表示管（放熱リード無し）と変わらず、コスト的にはわずかに放熱リード２１とダイボンド材１８及び接触材料２０の材料コストが増加するのみであり、発光効率向上等の顕著な効果を考慮するとコストパフォーマンスは極めて良好である。
【００５１】
２．第２実施形態（図４）
図４は、第２実施形態の蛍光表示管１０の部分拡大図であり、本例では第１実施形態と構造の異なる部分を中心として説明し、その他の部分については第１実施形態の説明を援用して説明を省略する。
【００５２】
図４に示すように、本例の放熱リード２５は、所定間隔で配置されて外囲器１１の封着部分を気密に貫通する複数本の細線状部材２２と、複数本の細線状部材２２の各内端部を連結する内端部としての帯状体２４と、複数本の細線状部材２２の各外端部を連結する帯状の連結部材２３とを有している。
【００５３】
本例によれば、第１実施形態と略同一の効果を得ることができるが、帯状体２４と接触材料２０の接触面積が第１実施形態の場合よりも大きいことから、放熱効果は第１実施形態よりも一層高い。
【００５４】
なお、図３及び図４に示す連結部材２３は、蛍光表示管１０が完成した後に同図中Ｚで示す切断線にて切り落とし、細線状部材２２を各々独立させてもよい。さらに細線状部材２２を半田メッキ処理すれば、ダイボンド材を通してアース用リードとして用いる場合、アースとの電気的接続がより確実になる。
【図面の簡単な説明】
【００５５】
【図１】図１は第１実施形態に係る蛍光表示管の断面図である。
【図２】図２は同蛍光表示管の部分拡大断面図である。
【図３】図３は同蛍光表示管の容器部を封着する前段階における平面図である。
【図４】図４は第２実施形態に係る蛍光表示管の容器部を封着する前段階における平面図である。
【図５】従来のアクティブマトリクスタイプの蛍光表示管を示す図である。
【符号の説明】
【００５６】
１０…蛍光表示管
１１…外囲器
１２…外囲器基板
１３…容器部
１５…回路基板
１６…蛍光体層
１７…アルミニウム薄膜
１８…接着材料としてのダイボンド材
２０…接触材料
２１，２５…放熱リード
２１ａ…内端部
２２…細線状部材
２３…連結部材
２４…内端部としての帯状体
【図１】
0005058741.tif 000003
【図２】
0005058741.tif 000004
【図３】
0005058741.tif 000005
【図４】
0005058741.tif 000006
【図５】
0005058741.tif 000007